(57)【特許請求の範囲】
【請求項１】
対をなす第１、第２のジャック信号コンタクトとジャックグランドコンタクトとが交互に並んでいるジャックコネクタと、
対をなす第１、第２のプラグ信号コンタクトとプラググランドコンタクトとが交互に並んでいるプラグコネクタとを有し、
前記第１及び第２のプラグ信号コンタクトが夫々第１及び第２のジャック信号コンタクトと接触し、且つ、前記プラググランドコンタクトが前記ジャックグランドコンタクトと接触して、前記プラグコネクタが前記ジャックコネクタと接続される、コネクタ装置において、
前記ジャックグランドコンタクトの先端側の箇所で、前記プラググランドコンタクトと前記ジャックグランドコンタクトとが接触する第１の接触構造部と、
前記プラググランドコンタクトの先端側の箇所で、前記プラググランドコンタクトと前記ジャックグランドコンタクトとが接触する第２の接触構造部とを有する、とともに、
前記ジャックグランドコンタクトは、根元部と、前記根元部より、間隔をおいて、接続されるプラグコネクタの方向に突き出ている上側腕部と下側腕部とを有し、前記上側腕部と下側腕部との間に湾部が形成してあり、更に、前記上側腕部及び下側腕部の先端に、前記上側腕部及び下側腕部より前記湾部側に突き出ている一対の第１のバネ部と、前記上側腕部及び下側腕部の根元に、前記上側腕部及び下側腕部より前記湾部側に突き出ている一対の第２のバネ部とを有する構成であり、
前記プラググランドコンタクトは、根元部と、前記根元部より、突き出ており、前記湾部に対応する中央腕部とを有し、該中央腕部が、前記湾部内に入り込んで嵌合して前記湾部を占める構成であり、
前記第１の接触構造部は、前記一対の第１のバネ部が前記プラググランドコンタクトの前記中央腕部の上下の端縁と接触した構成であり、
前記第２の接触構造部は、前記一対の第２のバネ部が前記プラググランドコンタクトの前記中央腕部の上下の端縁と接触した構成である、コネクタ装置。
【請求項２】
対をなす第１、第２のジャック信号コンタクトと板状のジャックグランドコンタクトとが交互に並んでいるジャックコネクタにおいて、
前記ジャックグランドコンタクトは、根元部と、前記根元部より、間隔をおいて、接続されるプラグコネクタの方向に突き出ている上側腕部と下側腕部とを有し、前記上側腕部と下側腕部との間に湾部が形成してあり、更に、前記上側腕部及び下側腕部の先端に、前記上側腕部及び下側腕部より前記湾部側に突き出ている一対の第１のバネ部と、前記上側腕部及び下側腕部の根元に、前記上側腕部及び下側腕部より前記湾部側に突き出ている一対の第２のバネ部とを有する構成である、ジャックコネクタ。
【発明の詳細な説明】
【技術分野】
【０００１】
本発明はコネクタ装置に係り、特に、平衡伝送用のジャックコネクタと平衡伝送用プラグコネクタとよりなる平衡伝送用コネクタ装置に関する。
【背景技術】
【０００２】
データの伝送の方式としては、データ毎に一本の電線を使用する通常の伝送方式（シングルエンド方式）と、データ毎に対をなす二本の電線を使用して、伝送すべき＋信号とこの＋信号とは大きさが等しく逆向きの−信号とを同時に伝送し、信号の検出を＋信号と−信号との間の電位差で行う平衡伝送方式（ディファレンシャル方式）がある。平衡伝送方式は、グランドレベルのドラフトによる影響を受けないため、通常の伝送方式に比べてノイズの影響を受けにくいという利点を有しており、多く採用されている。
【０００３】
機器と機器との間でデータを伝送するにはコネクタ装置が使用される。ここで機器と機器との間でデータを平衡伝送する経路を形成する場合には、１つのデータ毎に一対の伝送路を備えた構造の平衡伝送用コネクタ装置が使用される。この平衡伝送用コネクタ装置は、大略、対をなす第１及び第２の信号コンタクトと、板状のグランドコンタクトとが交互に並んでいる構成となっている。
【０００４】
図１（Ａ），（Ｂ）は従来の平衡伝送用コネクタ装置１のジャックコネクタ１０とプラグコネクタ１００とを、そのコンタクトの部分を取り出して示す。
【０００５】
Ｘ１−Ｘ２はコンタクト並びの行の方向（コネクタの幅方向）、Ｚ１−Ｚ２はコンタクト並びの列の方向（コネクタの高さ方向）、Ｙ１−Ｙ２はコンタクトの長さ方向（コネクタの奥行き方向、コネクタの挿抜の方向）である。
【０００６】
ジャックコネクタ１０は、板状のジャックグランドコンタクト２０と、対をなす第１、第２のジャック信号コンタクト３０、４０とが並んでいる構成であり、プリント回路基板２００上に実装してある。グランドコンタクト２０は、上側腕部２２、下側腕部２３、湾部２４を有し、且つ、先端側にバネ部２５、２６を有する。
【０００７】
プラグコネクタ１００は、板状のプラググランドコンタクト１２０と、対をなす第１、第２のプラグ信号コンタクト１３０、１４０とが並んでおり、中継基板１５０がプラググランドコンタクト１２０、第１、第２のプラグ信号コンタクト１３０、１４０と接続してある構成であり、同軸ケーブル（図示せず）の端に設けてある。
【０００８】
プラグコネクタ１００がジャックコネクタ１０に接続されると、図１（Ｂ）に示すように、第１、第２の信号コンタクト１３０、１４０が夫々第１、第２の信号コンタクト３０、４０と接触し、グランドコンタクト１２０はグランドコンタクト２０のバネ部２５、２６と接触する。
【０００９】
データは高周波信号であるので、データは、グランドコンタクト２０，１２０に高周波のグランド電流を発生させつつ、接続されているプラグコネクタ１００とジャックコネクタ１０との部分を伝送される。このグランドコンタクト２０，１２０に流れる高周波のグランド電流を、高周波グランド電流という。
【００１０】
グランドコンタクト２０のバネ部２５、２６が高周波グランド電流のリターンパスとして機能している。ジャックコネクタ１０のグランドコンタクト２０はその先端でプラグコネクタ１００のグランドコンタクト１２０に接触しているので、グランドコンタクト２０にはスタブは形成されない。しかし、プラグコネクタ１００のグランドコンタクト１２０についてみると、バネ部２５、２６が接触している箇所より先端側がスタブ５０となる。バネ部２５、２６が接触している箇所はグランドコンタクト１２０の略中央であるので、スタブ５０は比較的長い長さＬ１となっている。
【００１１】
スタブ５０は高周波のグランド電流の流れの行き止まりとなり、スタブ５０の先端では高周波グランド電流の反射が起きる。
【特許文献１】特開２０００−０６８００６号公報
【発明の開示】
【発明が解決しようとする課題】
【００１２】
近年、伝送する情報量が増大しており伝送する信号が高速化している。現在は、伝送レートが約２Ｇｂｐｓ程度であるが次世代では伝送レートが数１０Ｇｂｐｓにまで高くすることが予定されている。高速信号を伝送する場合には、伝送の信頼性を保証するために、平衡伝送用コネクタ装置の伝送特性の一つであるクロストーク特性を現在よりも向上させて、例えば−３０ｄＢよりも小さくする必要がある。
【００１３】
従来の平衡伝送用コネクタ装置１のクロストーク特性は、図１０に、グラフ線Iで示す如くであり、クロストーク量は十分には小さくなっていない。これは、比較的長い長さＬ１を有するスタブ５０が存在していることに起因している。
【００１４】
また、従来の平衡伝送用コネクタ装置１の共振によるクロストーク特性は、図１１に、グラフ線IIで示す如くであり、ピークＱが比較的低い周波数で表われていた。
【００１５】
なお、共振によるクロストーク特性とは、伝送されるデータが所定の周波数である場合に、グランドコンタクト２０、１２０が共振し、高周波グランド電流が急激に増し、これがノイズを発生し、このノイズが第１、第２の信号コンタクト３０、１３０、４０、１４０に影響を及ぼして、クロストーク量が増えてしまうことをいう。
【００１６】
このため、伝送レートが数１０Ｇｂｐｓと高い将来の高速信号を伝送する場合には、伝送の信頼性を保証することが難しくなってきている。
【００１７】
そこで、本発明は、上記の点に鑑みなされたものであり、クロストーク特性を改善して伝送特性の向上を図ったコネクタ装置を提供することを目的とする。
【課題を解決するための手段】
【００１８】
そこで、上記課題を解決するため、本発明は、対をなす第１、第２のジャック信号コンタクトとジャックグランドコンタクトとが交互に並んでいるジャックコネクタと、
対をなす第１、第２のプラグ信号コンタクトとプラググランドコンタクトとが交互に並んでいるプラグコネクタとを有し、
前記第１及び第２のプラグ信号コンタクトが夫々第１及び第２のジャック信号コンタクトと接触し、且つ、前記プラググランドコンタクトが前記ジャックグランドコンタクトと接触して、前記プラグコネクタが前記ジャックコネクタと接続される、コネクタ装置において、
前記ジャックグランドコンタクトの先端側の箇所で、前記プラググランドコンタクトと前記ジャックグランドコンタクトとが接触する第１の接触構造部と、
前記プラググランドコンタクトの先端側の箇所で、前記プラググランドコンタクトと前記ジャックグランドコンタクトとが接触する第２の接触構造部とを有する、とともに、
前記ジャックグランドコンタクトは、根元部と、前記根元部より、間隔をおいて、接続されるプラグコネクタの方向に突き出ている上側腕部と下側腕部とを有し、前記上側腕部と下側腕部との間に湾部が形成してあり、更に、前記上側腕部及び下側腕部の先端に、前記上側腕部及び下側腕部より前記湾部側に突き出ている一対の第１のバネ部と、前記上側腕部及び下側腕部の根元に、前記上側腕部及び下側腕部より前記湾部側に突き出ている一対の第２のバネ部とを有する構成であり、
前記プラググランドコンタクトは、根元部と、前記根元部より、突き出ており、前記湾部に対応する中央腕部とを有し、該中央腕部が、前記湾部内に入り込んで嵌合して前記湾部を占める構成であり、
前記第１の接触構造部は、前記一対の第１のバネ部が前記プラググランドコンタクトの前記中央腕部の上下の端縁と接触した構成であり、
前記第２の接触構造部は、前記一対の第２のバネ部が前記プラググランドコンタクトの前記中央腕部の上下の端縁と接触した構成である。
【発明の効果】
【００１９】
本発明によれば、ジャックグランドコンタクト及びプラググランドコンタクトについて、スタブの長さが短くなり、望ましくは、スタブが形成されないようになり、スタブによる影響が抑えられ、クロストーク特性が改善される。
【発明を実施するための最良の形態】
【００２０】
次に本発明の実施の形態について説明する。
【実施例１】
【００２１】
図２は本発明の実施例１になる平衡伝送用コネクタ装置１Ａを構成する、凹部を有し差し込まれる側である平衡伝送用ジャックコネクタ１０Ａと、凸部を有し差し込む側である平衡伝送用プラグコネクタ１００とを対応させて示す。図３はプラグコネクタ１００がジャックコネクタ１０Ａと接続された状態を示す。
【００２２】
Ｘ１−Ｘ２はコンタクト並びの行の方向（コネクタの幅方向）、Ｚ１−Ｚ２はコンタクト並びの列の方向（コネクタの高さ方向）、Ｙ１−Ｙ２はコンタクトの長さ方向（コネクタの奥行き方向、コネクタの挿抜の方向）である。
[プラグコネクタ１００の構成]
図２（Ａ）に示すプラグコネクタ１００は、図１に示すプラグコネクタ１００と同じであり、図７に示すように、板状のプラググランドコンタクト（以下、グランドコンタクトという）１２０と、対をなす第１、第２のプラグ信号コンタクト（以下、第１、第２の信号コンタクトという）１３０、１４０とが、電気絶縁性のプラグブロック体１６０（図２（Ａ）参照）のスリットに組み込んであり、中継基板１５０がグランドコンタクト１２０、第１、第２の信号コンタクト１３０、１４０と接続してあり、これらが、シールドカバー１７０（図２（Ａ）参照）で覆われている構成である。
【００２３】
対をなす第１、第２の信号コンタクト１３０、１４０は、上下方向である列方向（Ｚ方向）に並んでいる。
【００２４】
グランドコンタクト１２０と、対をなす第１、第２の信号コンタクト１３０、１４０とは、左右方向である行方向（Ｘ方向）に交互に並んでいる。
【００２５】
グランドコンタクト１２０は、板状の根元部１２１と、根元部１２１より、Ｙ２方向に突き出ており、後記の湾部２４に対応するサイズの細長形状の中央腕部１２２とを有する。根元部１２１は、Ｙ１側に、中継基板１５０を挟む端子部１２１ａを有する。
[ジャックコネクタ１０Ａの構成]
ジャックコネクタ１０Ａは、図４及び図５に示すように、板状のジャックグランドコンタクト（以下、グランドコンタクトという）２０Ａと、対をなす第１、第２のジャック信号コンタクト（以下、第１、第２の信号コンタクトという）３０，４０とが、電気絶縁性のジャックブロック体６０のスリットに組み込んであり、更に、ガスケット８０、８１と、シールドケース７０とを有する構成である。
【００２６】
対をなす第１、第２の信号コンタクト３０、４０は、上下方向である列方向（Ｚ方向）に並んでいる。第１、第２の信号コンタクト３０、４０は夫々先端に接触部３１、４１を有する。
【００２７】
グランドコンタクト２０Ａと、対をなす第１、第２の信号コンタクト３０、４０とは、左右方向である行方向（Ｘ方向）に交互に並んでいる。
【００２８】
図７に示すように、グランドコンタクト２０Ａは、板状の根元部２１と、根元部２１よりＺ方向に間隔をおいて、接続されるプラグコネクタの方向（Ｙ１方向）に突き出ている板状の上側腕部２２及び下側腕部２３と、上側腕部２２及び下側腕部２３の後記の湾部２４の側に形成してありＺ方向に弾性を有するバネ部２５−１、２５−２、２６−１、２６−２とを有する。上側腕部２２と下側腕部２３との間には、湾部２４がＹ１側からＹ２方向に入り込むように形成されている。根元部２１は、Ｙ２側に、プリント回路基板２００に接続するための端子部２１ａを有する。
【００２９】
上側腕部２２及び下側腕部２３、一対の第１のバネ部２５−１、２６−１及び一対の第２のバネ部２５−２、２６−２は、湾部２４のＹ方向に延在する中心線ＣＬに関して対称である。
【００３０】
第１のバネ部２５−１、２６−１は、上側腕部２２、下側腕部２３のＹ方向の略中央の個所から、湾部２４の入り口２４ａの方向に斜めに延在しており、先端に接触部２５−１ａ、２６−１ａを有する。接触部２５−１ａは上側腕部２２の先端の後記の壁部２７よりも更に先端側に位置しており、接触部２６−１ａは下側腕部２３の先端の後記の壁部２８よりも更に先端側に位置している。
【００３１】
第２のバネ部２５−２、２６−２は、上側腕部２２、下側腕部２３の根元の個所から、湾部２４の入り口２４ａの方向に斜めに延在しており、第１のバネ部２５−１、２６−１よりもＹ２側に偏倚して配置してあり、先端に接触部２５−２ａ、２６−２ａを有する。接触部２５−２ａ、２６−２ａは、湾部２４の入り口よりＹ２方向に寸法Ｌ２偏倚した位置であって、湾部２４の奥行き方向の略中央の位置に存在している。
【００３２】
バネ部２５−１、２５−２、２６−１、２６−２は、共に、カンチレバー形状であり、先端に接触部２５−１ａ、２５−２ａ、２６−１ａ、２６−２ａは、Ｚ方向に弾性変位する。
【００３３】
また、上側腕部２２は、バネ部２５−１よりＺ１側の部分に、壁部２７を有する。下側腕部２３は、バネ部２６−１よりＺ２側の部分に、壁部２８を有する
図９（Ａ）に示すように、Ｙ１側からＹ２方向に向かって、接触部２５−１ａ、２６−１ａ、接触部３１、４１、接触部２５−２ａ、２６−２ａの順で並んでいる。接触部２５−２ａ、２６−２ａは接触部３１、４１よりもＹ２方向に距離Ｌ２０偏倚して位置している。
【００３４】
図６に示すように、上側腕部２２の上端縁２２ａが、ジャックブロック体６０の上面６１に露出している。図５に示すように、同じく、下側腕部２３の下端縁２３ａが、ジャックブロック体６０の下面６２に露出している。
【００３５】
図６に示すように、ガスケット８０、８１は、長方形の板形状であり、導電性及び弾性を有する。シールドケース７０は、金属製であり、ブロック体６０の前面側の形状に対応した形状を有する。ガスケット８０、８１が電気的共通接続部材を構成する。
【００３６】
図２及び図４に示すように、シールドケース７０はブロック体６０に組み付けられている。ガスケット８０、８１は、ブロック体６０とシールドケース７０との間に挟まれて圧縮されており、全部のグランドコンタクト２０Ａの間に跨っており、圧縮状態のガスケット８０は全部のグランドコンタクト２０Ａの上側腕部２２の上端縁２２ａと弾性的に接触しており、圧縮状態のガスケット８１は全部のグランドコンタクト２０Ａの下側腕部２３の下端縁２３ａと弾性的に接触している。よって、全部のグランドコンタクト２０Ａが、その上側腕部２２同士がガスケット８０によって、その下側腕部２３同士がガスケット８１によって電気的に接続されている。
【００３７】
ジャックコネクタ１０Ａがプリント回路基板２００上に実装されて使用されて状態では、シールドケース７０はプリント回路基板２００のグランドパターンと電気的に接続してあり、ガスケット８０、８１は共にグランド電位となる。
【００３８】
また、ガスケット８０、８１は、図６及び図７に示すように、ガスケット８０、８１をブロック体６０の上面６１及び下面６２上に置き、シールドケース７０をＹ１側からブロック体６０に組み付けることによって、即ち、シールドケース７０をブロック体６０に組み付ける過程において組み付けられ、組み立て性が良い。
【００３９】
図７は、上記の構成になるジャックコネクタ１０Ａとプラグコネクタ１００とを対向させた状態で、プラグコネクタ１００の第１、第２の信号コンタクト１３０、１４０及びグランドコンタクト１２０と、ジャックコネクタ１０Ａの第１、第２の信号コンタクト３０、４０とグランドコンタクト２０Ａとを対向させて示す。
[プラグコネクタ１００のジャックコネクタ１０Ａへの接続]
次に、プラグコネクタ１００をジャックコネクタ１０Ａへ接続するときの動作及び接続が完了したときの状態について説明する。
【００４０】
ジャックコネクタ１０Ａは、図３及び図９（Ａ）に示すように、第１、第２の信号コンタクト１３０、１４０の端子部をプリント回路基板２００の上面の信号パッドに、グランドコンタクト１２０の端子部１２０ａをプリント回路基板２００の上面のグランドパッドに夫々半田付けされて、プリント回路基板２００上に実装してある。シールドケース７０はプリント回路基板２００のグランドパターンと電気的に接続してある。
【００４１】
プラグコネクタ１００は同軸ケーブル（図示せず）の端に設けてある。
【００４２】
プラグコネクタ１００は、先端の突き出し部１０１を、ジャックコネクタ１０Ａの凹部１１にＹ２方向に差し込むことによって、図３及び図９（Ｂ）に示すように、ジャックコネクタ１０Ａと接続される。
【００４３】
中央腕部１２２は、湾部２４の入り口２４ａより湾部２４内に進入する。最初に、中央腕部１２２が接触部２５−１ａ、２６−１ａと接触し、次いで、第１、第２の信号コンタクト１３０、１４０が夫々接触部３１、４１と接触し、最後に、中央腕部１２２が接触部２５−２ａ、２６−２ａと接触する。
【００４４】
ここで、接触部２５−１ａ、２６−１ａが中央腕部１２２と接触した部分が第１の接触構造部９５を構成する。接触部２５−２ａ、２６−２ａが中央腕部１２２と接触した部分が第２の接触構造部９６を構成する。
【００４５】
中央腕部１２２は湾部２４内に入って湾部２４を占め、中央腕部１２２と、上側腕部２２及び下側腕部２３が、平面の板状を形成する。グランドコンタクト２０Ａとグランドコンタクト１２０とがこのように組み合わさった状態を、グランドコンタクト組み合わせ体９０という。グランドコンタクト組み合わせ体９０は、平面の板状となる。
【００４６】
中央腕部１２２の先端側に形成されたスタブ５０Ａは、後述するように、長さがＬ３となり、図１に示す従来の平衡伝送用コネクタ装置１におけるスタブ５０の長さＬ１の約１／２と短い。
【００４７】
接触してＹ方向に並んでいる第１信号コンタクト３０と第１信号コンタクト１３０とが＋信号の伝送路９１を形成し、接触してＹ方向に並んでいる第２信号コンタクト４０と第２信号コンタクト１４０とが−信号の伝送路９２を形成する。＋信号は伝送路９１を通って、−信号は伝送路９２を通って伝送される。
【００４８】
図５に示すように、Ｘ方向において、隣り合う＋信号の伝送路９１−１、９１−２等及び隣り合う−信号の伝送路９２−１、９２−２等は、グランドコンタクト組み合わせ体９０によって、シールドされている。＋信号と−信号とは大きさが等しくて逆向きであるので、＋信号の伝送路９１−１と−信号の伝送路９２−１との間には、データの伝送時に、仮想的なグランド平面が生成される。更に、＋信号の伝送路９１−１のＺ１側及び−信号の伝送路９２−１のＺ２側はフレームグランドとなっているシールドケース７０でもって覆われている。
【００４９】
よって、プラグコネクタ１００がジャックコネクタ１０Ａへ接続された平衡伝送用コネクタ装置１Ａの部分についてみると、個々の＋信号の伝送路９１−１、９１−２等及び個々の−信号の伝送路９２−１、９２−２等は、擬似の同軸構造となり、データを構成する＋信号、−信号は擬似の同軸構造となって周囲をシールドされている伝送路を通って伝送される。
【００５０】
ここで、データは高周波信号であるので、データが平衡伝送用コネクタ装置１Ａ内を伝送されるときに、グランドコンタクト２０Ａ、１２０、即ち、グランドコンタクト組み合わせ体９０には高周波グランド電流が発生する。
[平衡伝送用コネクタ装置１Ａのクロストーク特性の改善]
次に、上記構成になる平衡伝送用コネクタ装置１Ａのクロストーク特性等について説明する。
＜Ａ＞第２のバネ部２５−２、２６−２によるクロストーク特性の改善
図９（Ｂ）に示すように、第１のバネ部２５−１、２６−１は高周波グランド電流のリターンパスとして機能し、これに加えて、第２のバネ部２５−２、２６−２も高周波グランド電流のリターンパスとして機能する。第１の接触構造部９５及び第２の接触構造部９６も高周波グランド電流のリターンパスとして機能する。
【００５１】
ここで、ジャックコネクタ１０Ａのグランドコンタクト２０Ａについてみると、その先端の箇所に第１の接触構造部９５が存在して、高周波グランド電流のリターンパスが先端の箇所に形成されているため、グランドコンタクト２０Ａにはスタブは存在しない。
【００５２】
プラグコネクタ１００のグランドコンタクト１２０についてみると、中央腕部１２２の先端に一番近い位置の接触構造部は、第２の接触構造部９６であり、その位置は、中央腕部１２２の先端から根元部１２１の方向に距離Ｌ３の位置である。このため、中央腕部１２２には第２の接触構造部９６よりも先端側がスタブ５０Ａとなる。
【００５３】
しかし、第２の接触構造部９６は、湾部２４の入り口よりＹ２方向に寸法Ｌ２入り込んでいる位置であるので、中央腕部１２２の先端に近い位置となり、スタブ５０Ａは、長さがＬ３となり、図１に示す従来の平衡伝送用コネクタ装置１におけるスタブ５０の長さＬ１の約１／２と短い。
【００５４】
このため、スタブ５０Ａの先端における高周波グランド電流の反射の程度が軽減され、スタブ部５０Ａが存在することが原因で発生するノイズの程度が低くなり、＋信号の伝送路９１及び−信号の伝送路９２が上記のノイズによって受ける影響の程度も低くなり、クロストーク特性は、図１０にグラフ線ＩＡで示すようになり、従来に比較して改善される。
【００５５】
また、スタブ５０Ａの長さが短くなっていることによって、平衡伝送用コネクタ装置１Ａ内における伝送路９１、９２のインピーダンスも改善されている。
＜Ｂ＞ガスケット８０、８１によるクロストーク特性の改善
図９（Ｂ）に示すように、ジャックコネクタ１０Ａの全部のグランドコンタクト２０Ａは、符号Ｐ１で示す、プリント回路基板２００の側で、プリント回路基板２００の内部の所謂「べた」である面状のグランド層に共通に接続されている。プラグコネクタ１００の全部のグランドコンタクト１２０は、符号Ｐ２で示す、中継基板１５０の側で、中継基板１５０の内部の面状のグランド層に共通に接続されている。
【００５６】
更に、ジャックコネクタ１０Ａの全部のグランドコンタクト２０Ａは、Ｐ１の位置とＰ２の位置との間の位置Ｐ３において、ガスケット８０、８１によって共通に接続され、更に、シールドケース７０を経てプリント回路基板２００の内部の面状のグランド層に共通に接続されている。ガスケット８０、８１及びシールドケース７０がグランドコンタクト共通接続手段を構成する。
【００５７】
プラグコネクタ１００の全部のグランドコンタクト１２０は、同じく位置Ｐ３において、ジャックコネクタ１０Ａの対応するグランドコンタクト１２０を経て、ガスケット８０、８１によって共通に接続され、更に、シールドケース７０を経てプリント回路基板２００の内部の面状のグランド層に共通に接続されている。
【００５８】
このため、全部のグランドコンタクト２０Ａが共通に接続されている位置Ｐ１と位置Ｐ３との間の距離はＬ１１となって、図１（Ｂ）に示す従来の場合における対応する距離Ｌ１０の約１／２と短くなる。全部のグランドコンタクト１２０が共通に接続されている位置Ｐ２と位置Ｐ３との間の距離はＬ１２となって、図１（Ｂ）に示す従来の平衡伝送用コネクタ装置１における対応する距離Ｌ１０の約１／２と短くなる。
【００５９】
これによって、高周波グランド電流が共振を起す周波数が高い方向にシフトし、クロストーク特性は、図１１にグラフ線IIＡで示すように、ピークＱＡが高い周波数の方向にシフトして、伝送するデータの周波数帯域Ｓよりも高い方向に外れ、伝送するデータの周波数帯域Ｓにおけるクロストークが改善される。
【００６０】
上記のガスケット８０、８１の何れか一方を省略した構成、即ち、上側腕部２２、下側腕部２３のうち何れか一方だけを共通に電気的に接続した構成としてもよい。この構成によっても、上記と同じくクロストークが従来に比較して改善される。
【００６１】
また、プラグコネクタ１００のプラググランドコンタクト１２０の中央腕部１２２の先端付近を共通に電気的に接続する構成としてもよい。この構成によっても、上記と同じくクロストークが改善される。
＜Ｃ＞壁部２７、２８によるクロストーク特性の改善
壁部２７、２８が存在することによって、グランドコンタクト組み合わせ体９０は、出来るだけＹ１側まで延在して存在する構成となっている。
【００６２】
これによって、グランドコンタクト組み合わせ体９０のシールド効果は改善されている。
【実施例２】
【００６３】
図１２及び図１３は本発明の実施例２になる平衡伝送用コネクタ装置１Ｂのコンタクトを対向させて示す。コネクタ装置１Ｂは、ジャックコネクタ１０Ｂと、プラグコネクタ１００Ｂとよりなる。
【００６４】
ジャックコネクタ１０Ｂは、図１に示すジャックコネクタ１０に前記のガスケット８０、８１を備えた構成であり、第１、第２の信号コンタクト３０、４０と、グランドコンタクト２０とを有する。
【００６５】
プラグコネクタ１００Ｂは、図１に示すジャックコネクタ１００において、グランドコンタクトに工夫を加えた構成であり、第１、第２の信号コンタクト１３０、１４０と、グランドコンタクト１２０Ｂとを有する。
【００６６】
グランドコンタクト１２０Ｂは、細長形状の中央腕部にその先端から根元部の方向に延びるスリット３００が形成されており、このスリット３００によって、一対の第１、第２の中央腕バネ部３０１、３１１が形成してあり、この第１の中央腕バネ部３０１と第２の中央腕バネ部３１１が中央腕部１２２Ｂを形成する構成である。
【００６７】
第１の中央腕バネ部３０１は、Ｙ２側の先端の上側に接触部３０２を有する。第２の中央腕バネ部３１１は、Ｙ２側の先端の下側に接触部３１２を有する。
【００６８】
プラグコネクタ１００Ｂがジャックコネクタ１０Ｂに接続されると、中央腕部１２２Ｂがバネ部２５、２６の先端の接触部２５ａ、２６ａと接触し、第１、第２の信号コンタクト１３０、１４０が夫々接触部３１、４１と接触し、第１、第２の中央腕バネ部３０１、３１１がすぼむ方向に弾性変形されてグランドコンタクト２０の湾部２４内に進入する。中央腕バネ部３０１、３１１の接触部３０２、３１２がグランドコンタクト２０の上側腕部２２、下側腕部２３の内側縁と接触する。
【００６９】
グランドコンタクト２０は、先端のバネ部２５、２６がグランドコンタクト１２０Ｂに接触し、グランドコンタクト１２０Ｂは、先端の接触部３０２、３１２がグランドコンタクト２０の上側腕部２２、下側腕部２３の内側縁と弾性的に接触した状態となる。接触部２５ａ、２６ａが中央腕部１２２Ｂと接触した部分が第１の接触構造部９５Ｂを構成する。接触部３０２、３１２がグランドコンタクト２０の上側腕部２２、下側腕部２３の内側縁と接触した部分が第２の接触構造部９６Ｂを構成する。
【００７０】
よって、グランドコンタクト２０についてみると、先端のバネ部２５、２６が高周波グランド電流のリターンパスとして機能し、グランドコンタクト２０についてみると、先端の接触部３０２、３１２が高周波グランド電流のリターンパスとして機能する。
【００７１】
よって、グランドコンタクト１２０Ｂ及びグランドコンタクト２０は共にスタグを有しない状態となり、平衡伝送用コネクタ装置１Ｂは改善されたクロストーク特性を有する。
【図面の簡単な説明】
【００７２】
【図１】従来の平衡伝送用コネクタ装置のジャックコネクタのコンタクトの部分とプラグコネクタのコンタクトの部分とを取り出して示す図である。
【図２】本発明の実施例１の平衡伝送用コネクタ装置を構成するジャックコネクタとプラグコネクタとを示す斜視図である。
【図３】プラグコネクタがジャックコネクタに接続された状態を示す断面図である。
【図４】図２中のジャックコネクタの縦断側面図である。
【図５】図４中、Ｖ−V線に沿う断面図である。
【図６】ガスケットの取り付けを説明する図である。
【図７】ガスケットの取り付けを説明する別の図である。
【図８】平衡伝送用コネクタ装置のジャックコネクタのコンタクトとプラグコネクタのコンタクトとを取り出して対応させて示す斜視図である。
【図９】プラグコネクタのジャックコネクタへの接続を、コンタクトの部分だけで示す図である。
【図１０】平衡伝送用コネクタ装置の第２のバネ部を形成したことによるクロストーク特性の改善を説明するためのる図である。
【図１１】平衡伝送用コネクタ装置のガスケットを設けたことによるクロストーク特性の改善を説明する図である。
【図１２】本発明の実施例２の平衡伝送用コネクタ装置を構成するジャックコネクタとプラグコネクタのコンタクトを対応させて示す斜視図である。
【図１３】プラグコネクタのジャックコネクタへの接続を、コンタクトの部分だけで示す図である。
【符号の説明】
【００７３】
１、１Ａ、１Ｂ  平衡伝送用コネクタ装置
１０，１０Ａ、１０Ｂ  ジャックコネクタ
２０、２０Ａ  ジャックグランドコンタクト
２１  根元部
２２  上側腕部
２３  下側腕部
２４  湾部
２５−１、２６−１  第１のバネ部
２５−２、２６−２  第２のバネ部
２５−１ａ、２５−２ａ、２６−１ａ、２６−２ａ  接触部
３０  第１のジャック信号コンタクト
３１  接触部
４０  第２のジャック信号コンタクト
４１  接触部
５０、５０Ａ  スタブ
６０  ジャックブロック体
７０  シールドケース
８０、８１  ガスケット
９０  グランドコンタクト組み合わせ体
９１  ＋信号の伝送路
９２  −信号の伝送路
９５、９５Ｂ  第１の接触構造部
９６、９６Ｂ  第２の接触構造部
１００、１００Ｂ  プラグコネクタ
１２０、１２０Ｂ  プラググランドコンタクト
１２２、１２２Ｂ  中央腕部
１３０  第１のプラグ信号コンタクト
１４０  第２のプラグ信号コンタクト
１５０  中継基板
１６０  プラグブロック体
１７０  シールドケース
２００  プリント回路基板
３００  スリット
３０１、３１１  中央腕バネ部
３０２、３１２  接触部
【図１】
0005401107.tif 000002
【図２】
0005401107.tif 000003
【図３】
0005401107.tif 000004
【図４】
0005401107.tif 000005
【図５】
0005401107.tif 000006
【図６】
0005401107.tif 000007
【図７】
0005401107.tif 000008
【図８】
0005401107.tif 000009
【図９】
0005401107.tif 000010
【図１０】
0005401107.tif 000011
【図１１】
0005401107.tif 000012
【図１２】
0005401107.tif 000013
【図１３】
0005401107.tif 000014